(57)【要約】      （修正有）【課題】アイコンの視認性および操作性を向上させる入力表示装置、電子機器、アイコンの表示方法および表示プログラムを提供する。【解決手段】本発明の車載装置１０は、表示ユニット１００と、表示ユニットの表示を制御する処理ユニット２００とを含む。表示ユニット１００は、入力手段の一部を構成するタッチパネル１４０と、ユーザーによって選択可能なアイコンを表示するディスプレイ１２０と、指などの物体が接近しているか否かを検知する近接センサ１６０とを含む。処理ユニット２００は、近接センサ１６０によって物体の接近が検知された場合に、選択中のアイコンを他の選択可能なアイコンよりも相対的に小さく表示させ、物体の接近が検知されない場合に、選択中のアイコンを他の選択可能なアイコンよりも相対的に大きく表示させる。【選択図】図１
2015232740.tif 000002
【特許請求の範囲】
【請求項１】
入力手段の一部を構成するタッチパネルを含み、かつユーザーによって選択可能なアイコンを表示する表示手段と、
前記表示手段に物体が接近しているか否かを検知する検知手段と、
前記検知手段により前記物体の接近が検知された場合に、選択中のアイコンを他の選択可能なアイコンよりも相対的に小さく表示させるように前記表示手段を制御する表示制御手段と、
を有する入力表示装置。
【請求項２】
前記表示制御手段は、前記検知手段により前記物体の接近が検知されない場合に、選択中のアイコンを他の選択可能なアイコンよりも相対的に大きく表示する、請求項１に記載の入力表示装置。
【請求項３】
前記表示制御手段はさらに、前記選択中のアイコンを前記表示手段の予め決められた領域に移動させる、請求項１に記載の入力表示装置。
【請求項４】
前記予め決められた領域は、タッチパネルの片側に寄せられた領域である、請求項３に記載の入力表示装置。
【請求項５】
前記物体は、ユーザーの指または前記タッチパネルを操作可能なタッチペンである、請求項１ないし４いずれか１つに記載の入力表示装置。
【請求項６】
請求項１ないし５いずれか１つに記載の入力表示装置を備えた電子機器であって、
当該電子機器は、複数の動作モードを有し、
前記表示手段は、前記複数の動作モードの各々を表した複数のアイコンを表示し、
前記電子機器は、ユーザーによってアイコンが選択されたとき、選択されたアイコンに該当する動作モードを実行する、電子機器。
【請求項７】
電子機器は、当該電子機器が包含する機能、または当該電子機器に接続された機能を実行させることが可能であり、１つの機能は複数の動作モードを有し、複数の動作モードのいずれか１つがユーザーによって選択可能である、請求項６に記載の電子機器。
【請求項８】
タッチパネルを備えた表示装置に表示されるアイコンの表示方法であって、
各機能にそれぞれ関連付けされた複数のアイコンを前記表示装置に表示するステップと、
ユーザー入力に応答して前記複数のアイコンの中からアイコンを選択するステップと、
前記表示装置にユーザーの指または前記タッチパネルを操作可能なタッチペンが接近しているか否かを検知するステップと、
前記ユーザーの指または前記タッチパネルを操作可能なタッチペンが検知された場合に、選択中のアイコンを他の選択可能なアイコンよりも相対的に小さく表示し、前記ユーザーの指または前記タッチパネルを操作可能なタッチペンの接近が検知されない場合に、選択中のアイコンを他の選択可能なアイコンよりも相対的に大きく表示するステップを含む、アイコンの表示方法。
【請求項９】
タッチパネルを備えた表示装置が実行するアイコンの表示プログラムであって、
各機能にそれぞれ関連付けされた複数のアイコンを前記表示装置に表示するステップと、
ユーザー入力に応答して前記複数のアイコンの中からアイコンを選択するステップと、
前記表示装置にユーザーの指または前記タッチパネルを操作可能なタッチペンが接近しているか否かを検知するステップと、
前記ユーザーの指または前記タッチパネルを操作可能なタッチペンの接近が検知された場合に、選択中のアイコンを他の選択可能なアイコンよりも相対的に小さく表示し、前記ユーザーの指または前記タッチパネルを操作可能なタッチペンの接近が検知されない場合に、選択中のアイコンを他の選択可能なアイコンよりも相対的に大きく表示するステップを含む、アイコンの表示プログラム。
【発明の詳細な説明】
【技術分野】
【０００１】
本発明は、タッチパネルを搭載した入力表示装置に関し、特に、各機能の処理に関連付けされたアイコンの表示方法に関する。
【背景技術】
【０００２】
入力表示装置の一つにタッチパネルがある。これは、カーナビゲーションやカーエアコンの制御パネルはもとより、スマートフォンや、自動販売機など、多数の電子機器に利用されている。タッチパネルは、表示装置とＧＵＩ（Graphic User Interface）の操作環境を提供する入力装置の両方を併せ持ち、今後も、タッチパネルを搭載する電子機器が増加することが予想される。
【０００３】
自動車には、空調機能、オーディオ機能等が搭載され、タッチパネルには、これらの機能に関連付けされたアイコン（文字、図形、記号等）が表示される。ユーザーは、アイコンを選択することで、機能の選択や動作を指示することが可能である。選択されているアイコンは、選択中であることをユーザーに知らせるため、例えば、アイコンの表示色が反転したり、アイコンの周囲に太枠が表示され、他のアイコンの表示形態が区別されている。
【０００４】
タッチパネルの操作性をさらに向上させるため、特許文献１や特許文献２は、タッチパネルへユーザーの指が接近したことを検知すると、入力ボタンを表示させたり、表示する情報を縮小させる技術を開示している。特許文献３および特許文献４は、ユーザーの指の接近を検知すると、画面の構成を変更する方法を開示している。
【先行技術文献】
【特許文献】
【０００５】
【特許文献１】特開２００８−４７０２７号公報
【特許文献２】特開２００９−７５６５６号公報
【特許文献３】特開２０１１−２０４０２３号公報
【特許文献４】特開平０３−１１６１９３号公報
【発明の概要】
【発明が解決しようとする課題】
【０００６】
車載装置において、運転中にタッチパネルを操作する場合など、車の振動により押下する位置がぶれ、正確にアイコンにタッチすることができない場合がある。特に、配置されているアイコン同士の間隔が狭かったり、あるいはアイコンのサイズが小さいようなとき、アイコンの押し間違いが発生してしまう。
【０００７】
本発明は、このような従来の課題を解決するものであり、アイコンの視認性および操作性を向上させる入力表示装置、アイコンの表示方法および表示プログラムを提供することを目的とする。
【課題を解決するための手段】
【０００８】
本発明に係る入力表示装置は、入力手段の一部を構成するタッチパネルを含み、かつユーザーによって選択可能なアイコンを表示する表示手段と、前記表示手段に物体が接近しているか否かを検知する検知手段と、記検知手段により前記物体の接近が検知された場合に、選択中のアイコンを他の選択可能なアイコンよりも相対的に小さく表示させるように前記表示手段を制御する表示制御手段とを有する。
【０００９】
好ましくは、前記表示制御手段は、前記検知手段により前記物体の接近が検知されない場合に、選択中のアイコンを他の選択可能なアイコンよりも相対的に大きく表示する。好ましくは前記表示制御手段はさらに、前記選択中のアイコンを前記表示手段の予め決められた領域に移動させる。好ましくは前記予め決められた領域は、タッチパネルの片側に寄せられた領域である。好ましくは前記物体は、ユーザーの指または前記タッチパネルを操作可能なタッチペンである。
【００１０】
本発明に係る電子機器は、上記の入力表示装置を備えたものであって、当該電子機器は、複数の動作モードを有し、前記表示手段は、前記複数の動作モードの各々を表した複数のアイコンを表示し、前記電子機器は、ユーザーによってアイコンが選択されたとき、選択されたアイコンに該当する動作モードを実行する。
【００１１】
好ましくは、電子機器は、当該電子機器が包含する機能、または当該電子機器に接続された機能を実行させることが可能であり、１つの機能は複数の動作モードを有し、複数の動作モードのいずれか１つがユーザーによって選択可能である。
【００１２】
本発明に係るアイコンの表示方法は、タッチパネルを備えた表示装置に表示されるものであって、各機能にそれぞれ関連付けされた複数のアイコンを前記表示装置に表示するステップと、ユーザー入力に応答して前記複数のアイコンの中からアイコンを選択するステップと、前記表示装置にユーザーの指または前記タッチパネルを操作可能なタッチペンが接近しているか否かを検知するステップと、前記ユーザーの指または前記タッチパネルを操作可能なタッチペンが検知された場合に、選択中のアイコンを他の選択可能なアイコンよりも相対的に小さく表示し、前記ユーザーの指または前記タッチパネルを操作可能なタッチペンが検知されない場合に、選択中のアイコンを他の選択可能なアイコンよりも相対的に大きく表示するステップを含む。
【発明の効果】
【００１３】
本発明によれば、表示手段への物体の接近が検知された場合に、選択中のアイコンを他の選択可能なアイコンよりも相対的小さく表示させるようにしたので、他の選択可能なアイコンの選択が容易になり、かつ現在選択中のアイコンに誤って接触してしまうなどの誤入力を減少させることができる。さらに、物体の接近が検知されない場合に、選択中のアイコンを他の選択可能なアイコンよりも相対的に大きくすることで、現在選択されているアイコンの視認性を向上させることができる。
【図面の簡単な説明】
【００１４】
【図１】図１は、本発明の実施例に係る車載装置の概略構成を示すブロック図である。
【図２】図１に示す車載装置の制御部に含まれる機能を示すブロック図である。
【図３】車載装置のディスプレイに表示されるアイコンの一例である。
【図４】本発明の実施例に係る車載装置におけるアイコンの表示制御の動作を示すフローチャートである。
【図５】図５（Ａ）は、指が接近していないときのアイコンの表示例、図５（Ｂ）は、指が接近しているときのアイコンの表示例である。
【図６】本発明の第２の実施例に係る車載装置におけるアイコンの表示制御の動作を示すフローチャートである。
【図７】図７（Ａ）は、指が接近していないときのアイコンの表示例、図７（Ｂ）は、指が接近しているときのアイコンの表示例である。
【発明を実施するための形態】
【００１５】
次に、本発明の実施の形態について、図面を参照して詳細に説明する。本発明の好ましい実施の態様は、タッチパネルを備えた入力表示装置に関し、当該入力表示装置は、車両に搭載された、オーディオ・ビデオ再生装置、テレビ・ラジオ受信装置、ナビゲーション装置などの電子装置に搭載される。
【実施例】
【００１６】
図１は、本発明の実施例に係る車載装置の表示制御に関連する要部の内部構成を示す図である。本実施例の車載装置１０は、表示ユニット１００と、表示ユニット１００に接続された処理ユニット２００とを含んで構成される。表示ユニット１００は、ディスプレイ１２０と、ディスプレイ１２０に結合されたタッチパネル１４０と、タッチパネルへの物体の接近を検知する近接センサ１６０とを含んで構成される。
【００１７】
ディスプレイ１２０は、例えば液晶パネルを含み、処理ユニット２００から提供された画像信号に基づき画像を表示する。タッチパネル１４０は、液晶パネル上に結合され、好ましくは静電容量型によって構成される。タッチパネル１４０は、ユーザー入力を構成し、ユーザーからの指や手などが接近または接触されたとき、その座標位置を判定するために必要な入力信号Ｓ１を処理ユニット２００へ提供する。
【００１８】
近接センサ１６０は、例えば、表示ユニット１００の外周などに取り付けられ、タッチパネル１４０に接近する物体の有無を検知し、検知結果を検知信号Ｓ２として処理ユニット１００へ提供する。近接センサ１６０は、公知のセンサを用いて構成することができ、例えば、発光素子と受光素子をペアにした赤外線センサなどから構成される。さらに他の態様として、車内を撮像する撮像カメラが搭載されている場合には、撮像カメラからの映像を解析することでタッチパネル１４０への物体の接近の有無を検知するようにしてもよい。この場合、近接センサ１６０の代わりに撮像カメラを用いるようにしても良い。
【００１９】
処理ユニット２００は、ディスプレイ１２０の表示を制御する表示制御部２１０、種々の機能を実行するアプリケーション部２２０、種々のデータを記憶する記憶部２３０、車両に搭載されている他の機能との接続を可能にするインターフェース（Ｉ／Ｆ）部２４０、各部を制御する制御部２５０などを含む。
【００２０】
アプリケーション部２２０は、車載装置１０によって実行可能な種々の機能を包含し、例えば、オーディオデータやビデオデータを再生する機能、テレビ放送やラジオ放送を受信する機能、ナビゲーション機能などが包含される。さらに車載装置１０は、Ｉ／Ｆ部２４０を介して車両に搭載されている外部機能を実行させることができる。例えば、車載装置１０は、Ｉ／Ｆ部２４０を介して空調機能や車内照明機能などに接続され、制御部２５０は、Ｉ／Ｆ部２４０を介して制御信号等の送受を行い、これらの機能を実行させることができる。なお、図１には例示しないが、車載装置１０はさらに、音声を出力する機能、タッチパネル以外の入力手段である他のユーザーインターフェイス機能（マウス、音声入力、リモートキー）、外部装置と有線または無線により接続する機能などを包含することができる。
【００２１】
制御部２５０は、マイクロコントローラやマイクロプロセッサ等を含んで構成され、好ましくは、予め用意されたプログラムを実行することにより、車載装置１０に含まれる内部機能を制御し、かつ車載装置１０に接続された外部機能を制御する。以下の説明では、制御部２５０によるアイコンの表示機能の詳細を説明する。
【００２２】
図２は、制御部２５０に含まれるアイコンの表示機能の構成を示すブロック図である。制御部２５０は、タッチパネル１４０からの入力信号Ｓ１に基づきタッチパネル１４０への入力座標を検出する座標検出部２５２、近接センサ１６０からの入力信号Ｓ２に基づきタッチパネル１４０への物体の接近の有無を判別する物体判別部２５４、ディスプレイ１２０に表示されるアイコンの画像データを生成するアイコン生成部２５６、座標検出部２５２によって検出された座標等に基づき選択されたアイコンを識別する選択アイコン識別部２５８、選択アイコン識別部２５８の識別結果および物体判別部２５４の判別結果に基づきアイコンの表示を制御するアイコン表示制御部２６０、ユーザーによって選択されたアイコンに関連付けされた動作を実行するアイコン実行部２６２を含んで構成される。
【００２３】
アイコン生成部２５６は、車載装置１０に搭載された内部機能、あるいは車載装置１０を介して制御することができる外部機能に関連付けされたアイコンの画像データを生成する。より具体的には、アイコン生成部２５６は、車載装置１０がオーディオ機能やナビゲーション機能を搭載するときに、オーディオ機能、ナビゲーション機能に関連付けされたアイコンの画像データを生成し、さらにアイコン生成部２５６は、車載装置１０を介して空調機能（エアーコンディショナー）や車内照明機能を制御するとき、空調機能や車内照明機能に関連付けされたアイコンの画像データを生成することができる。
【００２４】
好ましい態様では、各機能に関連付けされたアイコンの画像データは、記憶部２３０に予め格納され、アイコン生成部２５６は、記憶部２３０からアイコンの画像データを取得することができる。また、制御部２５０は、Ｉ／Ｆ部２４０を介して外部機能を識別し、当該識別結果に基づきアイコンの画像データを記憶部２３０から取得することができる。
【００２５】
アイコン生成部２５６によって生成されるアイコンは、例えば、文字、記号、図形などから構成される。アイコンは、当該アイコンが関連付けされた機能を識別するものであってもよいし、あるいはアイコンは、関連付けされた機能が複数の動作モードを有するとき、複数の動作モードを識別するものであってもよい。アイコン生成部２５６によって生成されたアイコンの画像データは、表示制御部２１０へ提供され、表示制御部２１０は、アイコンの画像データを他の画像データに合成し、これをディスプレイ１２０へ提供する。
【００２６】
図３は、アイコンの表示例である。同図に示すように、ディスプレイ１２０の画面３００には、空調機能の各動作モードを設定するための複数のアイコン３０１〜３０８が表示される。いずれかのアイコンがユーザーによって選択されると、当該アイコンに該当する動作モードが設定され、その動作モードが実行される。例えば、アイコン３０１〜３０５は、エアーが吹き出される位置を設定するものであり、これらの中から１つの動作モードを選択することが可能である。アイコン３０６は、外気を車内に取り込む設定をするものであり、アイコン３０７は、外気を車内に取り込まない設定をするものであり、アイコン３０６または３０７のいずれか選択することが可能である。アイコン３０８は、エアーコンディショナーを使用するか否かを設定するものである。これ以外にも、車内の設定温度や設定湿度を設定するためのアイコンを表示することも可能である。なお、画面３００には、空調機能の動作モードを設定するアイコンが表示されるが、画面３００に他の機能の動作モードを設定するアイコンを表示することも可能であるし、あるいは機能ごとに画面を切替えるようにしてもよい。
【００２７】
選択アイコン識別部２５８は、ディスプレイ１２０に表示されているアイコンのうち、ユーザーによって選択されたアイコンを識別する。例えば、図３において、ユーザーの指等の物体Ｆがタッチパネル１４０を介してアイコン３０１に接触されると、座標検出部２５２は入力信号Ｓ１に基づき座標を検出し、その検出結果が選択アイコン識別部２５８へ提供される。選択アイコン識別部２５８は、タッチ入力された座標に一致するアイコン３０１を識別する。この識別結果は、アイコン表示制御部２６０およびアイコン実行部２６２へ提供される。
【００２８】
アイコン実行部２６２は、選択アイコン識別部２５８によって識別されたアイコンに関連付けされた機能が実行するための制御信号をアプリケーション部２２０またはＩ／Ｆ部２４０を介して外部機能へ提供する。
【００２９】
アイコン表示制御部２６０は、選択アイコン識別部２５８の識別結果、および物体判別部２５４の判別結果に基づき、ディスプレイに表示されている複数のアイコンの表示形態、例えば、アイコンの大きさやアイコンの位置を制御する。好ましくは、アイコン表示制御部２６０は、選択中のアイコンが他のアイコンから区別できるように、選択中のアイコンの表示形態を変更する。例えば、選択中のアイコンの色を変化させたり、選択中のアイコンの外枠をハイライトさせたりする。
【００３０】
さらに好ましくは、アイコン表示制御部２６０は、物体判別部２５４によって物体Ｆのタッチパネル１４０への接近があると判別された場合には、ユーザーが他のアイコンを選択する意思があると推定し、選択中のアイコンのサイズを、他の選択可能なアイコンのサイズよりも相対的に小さく表示させ、ユーザーの操作性を優先する。また、アイコン表示制御部２６０は、物体Ｆのタッチパネル１４０への接近がないと判別された場合には、ユーザーが他のアイコンを選択する意思がないと推定し、選択中のアイコンのサイズを、他の選択可能なアイコンのサイズよりも相対的に大きく表示させ、ユーザーの視認性を優先する。アイコンのサイズは、スケール値（例えば、１２０％、８０％）などを予め設定することによって容易に可変することができる。また、アイコン表示制御部２６０によってアイコンのサイズが可変された場合には、その結果が選択アイコン識別部２５８に提供され、選択アイコン識別部２５８は、ユーザーがタッチ入力した座標に基づきサイズが可変されたアイコンを識別できるようにする。
【００３１】
次に、本実施例に係る車載装置１０のアイコンの表示制御について図４のフローチャートを参照して説明する。まず、アイコン生成部２５６は、ディスプレイ１２０に表示すべきアイコンの画像データを生成する（Ｓ１００）。デフォルト状態でディスプレイ１２０に表示すべきアイコンが決定されているときは、当該アイコンの画像データを例えば記憶部２３０から取得する。あるいは、ユーザーによって所定の機能が選択された場合には、当該所定の機能に関連するアイコンの画像データが記憶部２３０から取得される。
【００３２】
アイコン生成部２５６によって生成されたアイコンの画像データは、表示制御部２１０へ提供され、表示制御部２１０は、他の画像データにアイコンの画像データを合成し、これをディスプレイ１２０に表示させる（Ｓ１０２）。この際、アイコンは、通常のサイズで表示される。
【００３３】
次に、座標検出部２５２は、タッチパネル１４０からユーザーのタッチ入力があったか否かを監視し（Ｓ１０４）、タッチ入力があったとき、タッチ入力された座標を検出し、検出結果を選択アイコン識別部２５８へ提供する。選択アイコン識別部２５８は、検出された座標情報に基づきユーザーが選択したアイコンを識別し（Ｓ１０６）、この識別結果は、アイコン表示制御部２６０およびアイコン実行部２６２へ提供される。アイコン実行部２６２は、ユーザーによって選択されたアイコンに規定された動作を実行させる（Ｓ１０８）。
【００３４】
また、アイコン表示制御部２６０は、ユーザーによって選択されたアイコンが、他のアイコンから区別されるように、選択中のアイコンの色彩等が変更されるように、選択中のアイコンの識別表示を行う（Ｓ１１０）。選択中のアイコンの識別表示と同時に、あるいはその後、物体判別部２５４は、タッチパネル１４０にユーザーの指等の物体Ｆが接近したか否かを監視する（Ｓ１１２）。
【００３５】
物体判別部２５４によって指の接近があると判別されると、これに応答してアイコン表示制御部２６０は、選択中のアイコンを、他の選択可能なアイコンに比べて相対的に小さく表示させる（Ｓ１１４）。それ故、アイコン表示制御部２６０は、アイコン生成部２５６によって生成されたアイコンの画像データのスケールを制御し、あるいは表示制御部２１０のアイコンのスケールを制御する。好ましくは、選択中のアイコンのサイズを通常のサイズより小さくする。これとともに、あるいはこれとは別に、他の選択可能なアイコンのサイズを通常のサイズよりも大きくするようにしてもよい。
【００３６】
他方、物体判別部２５４によって指の接近がないと判別されると、これにとうとうしてアイコン表示制御部２６０は、選択中のアイコンを、他の選択可能なアイコンに比べて相対的に大きく表示させる（Ｓ１１６）。それ故、アイコン表示制御部２６０は、アイコン生成部２５６または表示制御部２１０を介してアイコンのスケールを制御する。また、これとともに、あるいはこれとは別に、他の選択可能なアイコンのサイズを通常のサイズより小さくするようにしてもよい。
【００３７】
次に、本実施例によるアイコンの具体的な表示例を説明する。図３に示すように、画面３００に、複数のアイコン３０１〜３０８が、予め決められた位置および間隔で、通常のサイズで表示され、その後、ユーザーの指Ｆがアイコン３０３、３０７をタッチ選択したと仮定する。
【００３８】
図５（Ａ）は、指Ｆがタッチパネル１４０に接近していないときの表示例である。選択中のアイコン３０３は、他の選択可能なアイコン３０１、３０２、３０４、３０５よりもサイズが大きくなるように表示される。また、選択中のアイコン３０７に関しても、他の選択可能なアイコン３０６よりも大きく表示される。このようなアイコンの表示制御により、例えば、自動車が走行中、運転操作に多くの注意を払う運転手にとっては、現在選択中のアイコンが大きく表示されているため、従来の技術と比べて視認性が向上する。また、選択中のアイコンは、サイズを大きくすることに加えて、ボタン色や枠色を変更し、他のアイコンと区別されるようにしてもよい。
【００３９】
図５（Ｂ）は、指Ｆがタッチパネル１４０に接近したときの表示例である。この場合、選択中アイコン３０３は、他の選択可能なアイコン３０１、３０２、３０４、３０５よりもサイズが小さくなるように表示される。選択中のアイコン３０７についても同様である。上記において、エアコンの吹き出し口が下方になる設定のアイコン３０３が選択されており、他の吹き出し口の設定に変更しようとする場合には、ユーザーは、アイコン３０１、３０２、３０４、３０５を選択するのであって、アイコン３０３を選択することはない。そのため、ユーザーが設定変更の意思を持って指Ｆをタッチパネル１４０に近づけたとき、既に選択されているアイコン３０３を小さく表示しても問題ない。アイコン３０７についても同様に、現在の内外気切替を行わない設定のアイコン３０７が選択されており、もし、ユーザーがこの設定を変更しようとする場合には、アイコン３０６を選択することになる。それ故、アイコン３０７の表示を小さくしても問題ない。また、アイコン３０８は、ＯＮ／ＯＦＦをトグルで動作するものであるため、表示の大きさは変更せず、アイコンの色や枠色等を変えて表示し、ＯＮ／ＯＦＦを示すことが望ましい。
【００４０】
このようなアイコンの表示制御により、例えば、自動車の走行中など車内の揺れが大きいとき、選択する可能性の無いアイコン、すなわち選択中のアイコン３０３、３０７を誤選択する可能性が低くなり、代わって、選択する可能性の高いアイコンの表示が大きくなるので、従来の技術と比べて操作性が向上する。
【００４１】
次に、本発明の第２の実施例について説明する。図６は、第２の実施例に係るアイコンの表示制御のフローチャートである。なお、Ｓ２００〜Ｓ２０８については、図４のＳ１００〜Ｓ１０８と同一であるので説明を省略する。
【００４２】
アイコン表示制御部２６０は、選択されたアイコンの識別表示をするとともに、選択されたアイコンの表示位置を予め決められた位置に移動させる（Ｓ２１０）。例えば、選択されたアイコンは、画面の左側、または右側などに移動して表示される。次いで、タッチパネルに指Ｂが接近しているか否かが監視され（Ｓ２１２）、指Ｂが接近していると判別された場合、選択中のアイコンを、他の選択可能なアイコンよりも相対的に小さく表示させる（Ｓ２１４）。指Ｂが接近していないと判別された場合、選択中アイコンを、他の選択可能なアイコンよりも相対的に大きく表示させる（Ｓ２１６）。
【００４３】
図７（Ａ）は、指Ｆがタッチパネル１４０に接近していないときの表示例である。選択中のアイコン３０３、３０７は、画面３００の左側の領域に整列され、かつ他の選択可能なアイコンよりも相対的に大きく表示される。このように、選択中アイコンを決められた領域に整列して表示させることにより、ユーザーは、アイコンの大きさのみならず、アイコンの位置からも選択中のアイコンを容易に視認することができる。
【００４４】
図７（Ｂ）は、指Ｆがタッチパネル１４０に接近しているときの表示例である。選択中のアイコン３０３、３０７は、画面３００の左側の領域に整列され、かつ他の選択可能なアイコンよりも相対的に小さく表示される。このように、選択中のアイコンを決められた領域に整列して表示させることにより、ユーザーが誤選択するリスクが減り、他方、他のアイコンの選択が容易になるので操作性が向上する。
【００４５】
上記実施例では、ユーザーの指の接近の有無に応じて、選択中のアイコンの大きさを変更する例を示したが、さらに次のような変形も可能である。指が接近していないとき、選択中のアイコンの視認性をさらに向上させるため、他の選択可能なアイコンの輝度を暗くしたり、透明にしたり、完全に消去することも可能である。また、指が接近したとき、他の選択可能なアイコンの操作性をさらに向上させるため、選択中のアイコンの輝度を暗くしたり、透明にしたり、完全に消去することも可能である。
【００４６】
さらに、上記実施例では、タッチパネルを選択する物体としてユーザーの指を使用する例を示したが、ユーザーの指に変わる指示体であってもよく、例えば、タッチパネルを操作可能なタッチペンであることができる。
【００４７】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００４８】
１０：車載装置                          １００：表示ユニット
１２０：ディスプレイ                    １４０：タッチパネル
１６０：近接センサ                      ２００：処理ユニット
２１０：表示制御部                    ２２０：アプリケーション部
２３０：記憶部                        ２４０：インターフェース部
２５０：制御部                        ３００：画面
３０１〜３０８：アイコン
【図１】
2015232740.tif 000003
【図２】
2015232740.tif 000004
【図３】
2015232740.tif 000005
【図４】
2015232740.tif 000006
【図５】
2015232740.tif 000007
【図６】
2015232740.tif 000008
【図７】
2015232740.tif 000009